(57)【要約】【課題】印刷物の生産性を向上させるとともに印刷画質を優先するか否かに応じて、ブラック色のインクのドロップ数をＣＭＹＫ色のインクのドロップ数に分配する方法を変える。【解決手段】  ドロップデータ補正部５５は、ブラック色のインクのドロップ数のうち、新たな最大ドロップ数より大きい第1ドロップ数を新たな最大ドロップ数または最大ドロップ数以下に変更する。印刷画質優先モードが入力された場合には、第１ドロップ数と新たな最大ドロップ数の差分を、ＣＭＹＫ色のインクのドロップ数に分配し、印刷画質優先モードが入力されない場合には、第１ドロップ数と新たな最大ドロップ数以下のドロップ数の差分を、ＣＭＹＫ色のインクのドロップ数に分配し、新たな最大ドロップ数以下のものを、少なくとも1ドロップ差し引くとともに、ＣＭＹＫ色のインクのドロップ数に、少なくとも1ドロップ分配する。【選択図】  図５
2018158559.tif 000002
【特許請求の範囲】
【請求項１】
用紙を搬送する搬送部と、
印刷ジョブに基づいて、前記搬送部により搬送される用紙に、複数色のインクをマルチドロップ方式のインクジェットヘッドから吐出して印刷する印刷部と、
１画素あたりの１色分のインクの最大ドロップ数として、印刷条件に応じた最大ドロップ数より小さい新たな最大ドロップ数を設定する最大ドロップ数設定変更部と、
印刷条件に応じた最大ドロップ数を上限とする画素ごとのインクのドロップ数を示す各インク色のドロップデータを、画素ごとのインクのドロップ数の上限が前記新たな最大ドロップ数となるよう補正するドロップデータ補正部と、
前記新たな最大ドロップ数に応じた搬送速度で用紙を搬送するよう前記搬送部を制御する搬送制御部と、
前記ドロップデータ補正部による補正後の各インク色のドロップデータに基づき、各色のインクを吐出するよう前記印刷部を制御する印刷制御部と、
印刷画質を優先する印刷画質優先モードを入力する入力部と、を備え、
前記ドロップデータ補正部は、前記入力部により前記印刷画質優先モードが入力された場合には、他色のインクに分配可能な所定色のインクのドロップデータにおける各画素のドロップ数のうち、前記新たな最大ドロップ数より大きいドロップ数を前記新たな最大ドロップ数に変更するとともに、前記新たな最大ドロップ数より大きいドロップ数と、前記新たな最大ドロップ数の差分を、前記他色のインクのドロップ数に、分配する処理である第１の補正処理を行い、
前記入力部により前記印刷画質優先モードが入力されない場合には、他色のインクに分配可能な所定色のインクのドロップデータにおける各画素のドロップ数のうち、前記新たな最大ドロップ数より大きいものを前記新たな最大ドロップ数以下のドロップ数に変更するとともに、前記新たな最大ドロップ数より大きいドロップ数と前記新たな最大ドロップ数以下のドロップ数の差分を前記他色のインクのドロップ数に分配し、
前記所定色のインクのドロップデータにおける各画素のドロップ数のうち、２ドロップ以上であって前記新たな最大ドロップ数以下のものを、少なくとも1ドロップ差し引くとともに、前記他色のインクのドロップ数に、前記少なくとも1ドロップ分配する処理である第２の補正処理を行うことを特徴とするインクジェット印刷装置。
【請求項２】
前記複数色のインクは、シアン色のインク、マゼンタ色のインク、イエロー色のインク、ブラック色のインクを含むものであり、
前記ドロップデータ補正部による第１の補正処理および第２の補正処理において、前記所定色は、ブラック色であり、前記他色は、シアン色であることを特徴とする請求項１に記載のインクジェット印刷装置。
【請求項３】
前記印刷ジョブは、１または複数のオブジェクトを印刷することを指示するものであり、
前記ドロップデータ補正部は、前記第１の補正処理の分配および前記第２の補正処理の分配について、前記オブジェクトの画素のうちエッジ部以外の画素に対して実行し、
前記エッジ部の各画素の所定色のインクのドロップ数のうち、前記新たな最大ドロップ数より大きいドロップ数を、前記新たな最大ドロップ数に変更することを特徴とする請求項１または２に記載のインクジェット印刷装置。
【発明の詳細な説明】
【技術分野】
【０００１】
本発明は、マルチドロップ方式のインクジェット印刷装置に関する。
【背景技術】
【０００２】
インクジェットヘッドのノズルからインクの液滴を吐出して用紙に着弾させ、画像を形成するインクジェット方式は、印刷方式の１つとして広く普及している。
【０００３】
また、インクジェット方式のなかで、１つのノズルから１つの画素に対して複数のインク滴を吐出可能なマルチドロップ方式が知られている（例えば、特許文献１参照）。マルチドロップ方式では、１つの画素に対して吐出するインク滴の数（ドロップ数）により濃度を表現する階調印刷を行う。
【先行技術文献】
【特許文献】
【０００４】
【特許文献１】特開２００３−２６６６６７号公報
【発明の概要】
【発明が解決しようとする課題】
【０００５】
マルチドロップ方式のインクジェット印刷装置では、用紙種類および印刷解像度によって最大ドロップ数が決まる。最大ドロップ数は、１画素あたりの１色分のインクのドロップ数の最大値である。インクの受容量が大きい用紙種類ほど、最大ドロップ数が大きくなる。また、印刷解像度が高いほど、単位面積あたりの画素数が多くなるため、最大ドロップ数は小さくなる。
【０００６】
また、用紙を搬送しつつ、マルチドロップ方式のインクジェットヘッドで用紙に印刷するインクジェット印刷装置では、用紙の搬送速度は、最大ドロップ数に応じて決まる。最大ドロップ数が大きいほど、１画素あたりの吐出開始から吐出終了までに要する時間が長くなるため、用紙の搬送速度は遅く設定される。
【０００７】
このため、最大ドロップ数によって、印刷物の生産性が決まる。印刷時の最大ドロップ数を用紙種類および印刷解像度によって決まる最大ドロップ数よりも小さくすれば、用紙の搬送速度を高速化し、印刷物の生産性を向上させることができる。このためには、所定色のインクについて、もとの最大ドロップ数より低い新たな最大ドロップ数を超えたドロップ数については、所定色と同等の色となる複数の他の色のインクのドロップ数に分配することで、最大ドロップ数の低下に基づく印刷物の生産性向上を図ることができる。
【０００８】
この際、インクの発注効率を考えると、全ての色のインクの発注を同じ時期にすることが好ましい。これは、ユーザが予算管理を行う場合には、まとめて全ての色のインクの発注を行えれば、ユーザの利便性につながることになるからである。
【０００９】
このためには、全ての色のインクの消費をできるだけ同じようにする必要がある。この結果、所定色のインクのドロップ数を、複数の他の色のインクのドロップ数に分配する場合、全ての色のインクのドロップ数を新たな最大ドロップ数以下にするとともに各色のインクドロップ数をできるだけ同じにすることが好ましい。
【００１０】
一方、所定色のインクのドロップ数を、他の色のインクのドロップ数に分配する場合、新たな最大ドロップ数以下のドロップ数については、分配しない方が、分配に基づく印刷画質の低下を最小限に抑えることができる。
【００１１】
印刷物の生産性を向上させつつ、印刷画質を優先するか否かに応じて、画質劣化を最小限に抑えるか、全てのインクの消費をできるだけ同じようにするように、分配の方法を変えることができれば、ユーザの利便性が向上する。
【００１２】
本発明は上記に鑑みてなされたもので、印刷物の生産性を向上させるとともに、印刷画質を優先するか否かに応じて、所定色のインクのドロップ数を、複数の他の色のインクのドロップ数に分配する方法を変えることができるインクジェット印刷装置を提供することを目的とする。
【課題を解決するための手段】
【００１３】
本発明は、用紙を搬送する搬送部と、印刷ジョブに基づいて、前記搬送部により搬送される用紙に、複数色のインクをマルチドロップ方式のインクジェットヘッドから吐出して印刷する印刷部と、１画素あたりの１色分のインクの最大ドロップ数として、印刷条件に応じた最大ドロップ数より小さい新たな最大ドロップ数を設定する最大ドロップ数設定変更部と、印刷条件に応じた最大ドロップ数を上限とする画素ごとのインクのドロップ数を示す各インク色のドロップデータを、画素ごとのインクのドロップ数の上限が前記新たな最大ドロップ数となるよう補正するドロップデータ補正部と、前記新たな最大ドロップ数に応じた搬送速度で用紙を搬送するよう前記搬送部を制御する搬送制御部と、前記ドロップデータ補正部による補正後の各インク色のドロップデータに基づき、各色のインクを吐出するよう前記印刷部を制御する印刷制御部と、印刷画質を優先する印刷画質優先モードを入力する入力部と、を備え、前記ドロップデータ補正部は、前記入力部により前記印刷画質優先モードが入力された場合には、他色のインクに分配可能な所定色のインクのドロップデータにおける各画素のドロップ数のうち、前記新たな最大ドロップ数より大きいドロップ数を前記新たな最大ドロップ数に変更するとともに、前記新たな最大ドロップ数より大きいドロップ数と、前記新たな最大ドロップ数の差分を、前記他色のインクのドロップ数に、分配する処理である第１の補正処理を行い、前記入力部により前記印刷画質優先モードが入力されない場合には、他色のインクに分配可能な所定色のインクのドロップデータにおける各画素のドロップ数のうち、前記新たな最大ドロップ数より大きいものを前記新たな最大ドロップ数以下のドロップ数に変更するとともに、前記新たな最大ドロップ数より大きいドロップ数と前記新たな最大ドロップ数以下のドロップ数の差分を前記他色のインクのドロップ数に分配し、前記所定色のインクのドロップデータにおける各画素のドロップ数のうち、２ドロップ以上であって前記新たな最大ドロップ数以下のものを、少なくとも1ドロップ差し引くとともに、前記他色のインクのドロップ数に、前記少なくとも1ドロップ分配する処理である第２の補正処理を行うことを特徴とするものである。
【００１４】
上記発明において、前記複数色のインクは、シアン色のインク、マゼンタ色のインク、イエロー色のインク、ブラック色のインクを含むものであり、前記ドロップデータ補正部による第１の補正処理および第２の補正処理において、前記所定色は、ブラック色であり、前記他色は、シアン色であることを特徴とするものである。
【００１５】
上記発明において、前記印刷ジョブは、１または複数のオブジェクトを印刷することを指示するものであり、前記ドロップデータ補正部は、前記第１の補正処理の分配および前記第２の補正処理の分配について、前記オブジェクトの画素のうちエッジ部以外の画素に対して実行し、前記エッジ部の各画素のドロップ数のうち、前記新たな最大ドロップ数より大きいドロップ数を、前記新たな最大ドロップ数に変更することを特徴とするものである。
【発明の効果】
【００１６】
本発明の第１の特徴によれば、最大ドロップ数設定変更部が、印刷条件に応じた最大ドロップ数より小さい新たな最大ドロップ数を設定する。ドロップデータ補正部は、各インク色のドロップデータを、画素ごとのインクのドロップ数の上限が新たな最大ドロップ数となるよう補正する。搬送制御部は、新たな最大ドロップ数に応じた搬送速度で用紙を搬送するよう搬送部を制御し、印刷制御部は、ドロップデータ補正部による補正後の各インク色のドロップデータに基づき、各色のインクを吐出するよう印刷部を制御する。これにより、印刷条件に応じた最大ドロップ数より小さい新たな最大ドロップ数に応じた搬送速度で用紙を搬送しつつ印刷するので、用紙の搬送速度を高速化して印刷できる。この結果、印刷物の生産性を向上させることができる。
【００１７】
また、ドロップデータ補正部は、印刷画質優先モードが入力されない場合には、第２の補正処理を行うので、所定色のインクの各ドロップ数について、所定色のインクのドロップ数のうち、新たな最大ドロップ数を超えるドロップ数については、新たな最大ドロップ数以下にしつつ、新たな最大ドロップ数より大きいドロップ数と前記新たな最大ドロップ数以下のドロップ数の差分を他の色のインクのドロップ数に分配するか、新たな最大ドロップ数以下のものを、少なくとも1ドロップ差し引くとともに、他の色のインクのドロップ数に、少なくとも1ドロップ分配する。このため、各色のインクのドロップ数が同じとなる色数をできるだけ多くすることができる。
【００１８】
また、印刷画質優先モードが入力された場合には、第１の補正処理を行うので、所定色のインクの新たな最大ドロップ数以下のドロップ数については、変化させないので、低濃度に相当する上記ドロップ数の領域の画質低下を抑えることができる。
【００１９】
従って、印刷物の生産性を向上させるとともに、印刷画質を優先するか否かに応じて、所定色のインクのドロップ数を、他の色のインクのドロップ数に分配する方法を変えることが可能となり、ユーザの利便性が向上する。
【００２０】
また、ブラック色のインクにシアン色のインクを混ぜても、ブラック色の色味としてはおおむね変化しない。このため、本発明の第２の特徴によれば、上記発明において、所定色のインクは、ブラック色のインクであり、他色のインクは、シアン色のインクとすることができる。この結果、イエロー色またはマゼンタ色のインクが残量少ないような場合でも、ブラック色のインクのドロップ数をシアン色のインクのドロップ数に分配することで、上述の効果を達成することができる。
【００２１】
また、複数色のインクを重ねて吐出するオブジェクトにおいては、エッジ部において、インクのドロップの位置ずれなどが起こったりすると、エッジ部がにじんでみえることがある。
【００２２】
本発明の第３の特徴によれば、上記発明において、ドロップデータ補正部は、第１の補正処理の分配および第２の補正処理の分配において、オブジェクトの画素のうちエッジ部以外の画素に対して実行する。このため、各色のインク吐出位置精度が良好でない場合でも、オブジェクトのエッジ部は、所定色のインクで吐出し、エッジ部以外では、複数色のインクで吐出するので、上述の効果を達成するとともに、エッジ部のにじみを防止することができる。
【図面の簡単な説明】
【００２３】
【図１】実施形態１のインクジェット印刷装置の構成を示すブロック図である。
【図２】図１に示すインクジェット印刷装置の搬送部および印刷部の概略構成図である。
【図３】最大ドロップ数テーブルを示す図である。
【図４】ドロップ数削減量テーブルを示す図である。
【図５】（ａ）は、第１テーブルを示す図であり、（ｂ）は、第２テーブルを示す図である。
【図６】図１に示すインクジェット印刷装置の動作を説明するためのフローチャートである。
【図７】モードの設定・解除を説明するためのフローチャートである。
【図８】実施形態１のドロップデータ補正処理を説明するためのフローチャートである。
【図９】実施形態２のドロップデータ補正処理を説明するためのフローチャートである。
【発明を実施するための形態】
【００２４】
（実施形態１）
以下、本発明の実施形態について、図面を参照して説明する。各図面を通じて同一もしくは同等の部位や構成要素には、同一もしくは同等の符号を付している。
【００２５】
以下に示す実施形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００２６】
図１は、本発明の実施形態に係るインクジェット印刷装置の構成を示すブロック図である。図２は、図１に示すインクジェット印刷装置の搬送部および印刷部の概略構成図である。
【００２７】
図１に示すように、本実施形態に係るインクジェット印刷装置１は、搬送部２と、印刷部３と、操作パネル部４と、記憶部５と、制御部６とを備える。
【００２８】
搬送部２は、図示しない給紙部から給紙された印刷媒体である用紙Ｐを搬送する。図２の左から右に向かう方向が、用紙Ｐの搬送方向である。搬送部２は、搬送ベルト１１と、駆動ローラ１２と、従動ローラ１３，１４，１５とを備える。
【００２９】
搬送ベルト１１は、用紙Ｐを吸着保持して搬送する。搬送ベルト１１は、駆動ローラ１２および従動ローラ１３〜１５に掛け渡される環状のベルトである。搬送ベルト１１には、用紙Ｐを吸着保持するためのベルト穴が多数形成されている。搬送ベルト１１は、ファン（図示せず）の駆動によりベルト穴に発生する吸着力により、上面に用紙Ｐを吸着保持する。搬送ベルト１１は、図２における時計回り方向に回転することで、吸着保持した用紙Ｐを図１の左から右に向かう方向に搬送する。
【００３０】
駆動ローラ１２は、搬送ベルト１１を回転させる。駆動ローラ１２は、図示しないモータにより駆動される。
【００３１】
従動ローラ１３〜１５は、駆動ローラ１２とともに搬送ベルト１１を支持する。従動ローラ１３〜１５は、搬送ベルト１１を介して駆動ローラ１２に従動する。従動ローラ１３は、駆動ローラ１２と同じ高さで、駆動ローラ１２の左方に配置されている。従動ローラ１４，１５は、駆動ローラ１２および従動ローラ１３の下方において、互いに左右方向に離間して、同じ高さに配置されている。
【００３２】
印刷部３は、搬送部２により搬送される用紙Ｐにインクを吐出して画像を印刷する。印刷部３は、インクジェットヘッド２１Ｃ，２１Ｋ，２１Ｍ，２１Ｙを備える。なお、以下の説明において、インクジェットヘッド２１Ｃ，２１Ｋ，２１Ｍ，２１Ｙの符号におけるアルファベットの添え字（Ｃ，Ｋ，Ｍ，Ｙ）を省略して総括的に表記することがある。
【００３３】
インクジェットヘッド２１は、搬送部２により搬送される用紙Ｐにインクを吐出する。インクジェットヘッド２１は、用紙Ｐの搬送方向に直交する主走査方向に沿って配置された複数のノズル（図示せず）を有し、ノズルからインクを吐出する。インクジェットヘッド２１は、１つのノズルから１つの画素に対して複数のインク滴を吐出可能なマルチドロップ方式のものであり、インク滴の数（ドロップ数）により濃度を表現する階調印刷を行う。インクジェットヘッド２１Ｃ，２１Ｋ，２１Ｍ，２１Ｙは、それぞれシアン（Ｃ）、ブラック（Ｋ）、マゼンタ（Ｍ）、イエロー（Ｙ）のインクを吐出する。
【００３４】
操作パネル部４は、各種の入力画面等を表示するとともに、ユーザによる入力操作を受け付ける。操作パネル部４は、表示部２６と、入力部２７とを備える。
【００３５】
表示部２６は、各種の入力画面等を表示する。表示部２６は、液晶表示パネル等を有する。
【００３６】
入力部２７は、ユーザによる入力操作を受け付け、操作に応じた操作信号を出力する。入力部２７は、各種の操作キー、タッチパネル等を有する。また、入力部２７は、ユーザが印刷ジョブの印刷画質を優先する印刷画質優先モード、印刷ジョブの印刷画質を優先しない印刷画質非優先モードを入力するものである。入力されたモードは、ドロップデータ補正部５５に設定される。また、入力部２７は、設定された印刷画質優先モード、印刷画質非優先モードを解除する旨を入力するものでもある。
【００３７】
記憶部５は、各種のプログラム等を記憶している。また、記憶部５は、図３に示す最大ドロップ数テーブル３１と、図４に示すドロップ数削減量テーブル３２とを記憶している。記憶部５は、ＨＤＤ等の記憶装置により構成される。
【００３８】
最大ドロップ数テーブル３１は、用紙種類と印刷解像度と標準最大ドロップ数とが関連付けられたテーブルである。標準最大ドロップ数は、用紙種類および印刷解像度に応じて決まる最大ドロップ数である。最大ドロップ数は、１画素あたりの１色分のインクのドロップ数の最大値である。インクの受容量が大きい用紙種類ほど標準最大ドロップ数が大きくなる。図３の例では、インクの受容量が最も大きい光沢紙における標準最大ドロップ数が最も大きく、インクの受容量が最も小さい普通紙における標準最大ドロップ数が最も小さい。また、印刷解像度が高いほど、単位面積あたりの画素数が多くなるため、標準最大ドロップ数は小さくなる。図３の例では、用紙種類が同じであれば、印刷解像度が６００ｄｐｉの方が３００ｄｐｉよりも標準最大ドロップ数が小さい。
【００３９】
ドロップ数削減量テーブル３２は、印刷速度モードと、印刷速度モードに応じて印刷時の最大ドロップ数を標準最大ドロップ数から変更するための削減ドロップ数とを関連付けたテーブルである。
【００４０】
印刷速度モードは、印刷速度を設定するモードである。印刷速度は、単位時間あたりの印刷ページ数、具体的には１分間あたりの印刷ページ数（ｐｐｍ）によって表されるものである。１分間あたりの印刷ページ数が多いほど、印刷速度が速い。印刷時における搬送部２による用紙Ｐの搬送速度を速くするほど、印刷速度を速くすることができる。
【００４１】
図４に示すように、インクジェット印刷装置１では、印刷速度モードとして、標準モード、および、高速モードである第１〜第３高速モードが設けられている。標準モードは、搬送部２による用紙Ｐの搬送速度を標準最大ドロップ数に応じた搬送速度として印刷を行うモードである。第１〜第３高速モードは、搬送部２による用紙Ｐの搬送速度を、標準最大ドロップ数からドロップ数を削減した新たな最大ドロップ数に応じた搬送速度として印刷を行うモードである。
【００４２】
印刷時の最大ドロップ数が小さいほど、１画素あたりの吐出開始から吐出終了までに要する時間が短くなるため、用紙Ｐの搬送速度を速くすることができる。このため、図４に示すように、第１高速モード、第２高速モード、第３高速モードでは、それぞれ１ドロップ、２ドロップ、３ドロップを標準最大ドロップ数から削減したドロップ数を、印刷時の最大ドロップ数とする。これにより、第１〜第３高速モードでは、標準モードよりも、搬送部２による用紙Ｐの搬送速度を速くして、印刷速度を速くする。高速モードでは、第１高速モード、第２高速モード、第３高速モードの順で、印刷時の最大ドロップ数が小さくなるので、第３高速モードが最も印刷時の用紙Ｐの搬送速度が速く、印刷速度が速い。
【００４３】
ここで、図３に示すように、用紙種類および印刷解像度によって標準最大ドロップ数が変化するため、標準モードおよび第１〜第３高速モードにおける印刷時の最大ドロップ数は、用紙種類および印刷解像度によって変化する。このため、標準モードおよび第１〜第３高速モードにおける印刷時の用紙Ｐの搬送速度および印刷速度は、用紙種類および印刷解像度によって変化する。また、標準ドロップ数から削減できるドロップ数に限度があるため、用紙種類および印刷解像度によっては、第２および第３高速モードのうちの少なくともいずれかが選択不可能になっている。
【００４４】
制御部６は、インクジェット印刷装置１全体の動作を制御する。制御部６は、ＣＰＵ、ＲＡＭ、ＲＯＭ等を備えて構成される。制御部６は、搬送制御部４１と、画像処理部４２と、印刷制御部４３と、表示制御部４４とを備える。制御部６の各部は、ＣＰＵが記憶部５に格納されたプログラムにしたがって動作すること等により構成される。
【００４５】
搬送制御部４１は、搬送部２を制御して用紙Ｐを搬送させる。
【００４６】
画像処理部４２は、外部のパーソナルコンピュータ等から送信されたＰＤＬ（Page Description Language）形式の印刷ジョブデータに基づき、インク色であるＣ（シアン）Ｍ（マゼンタ）Ｙ（イエロー）Ｋ（ブラック）の各色のドロップデータを生成する。各色のドロップデータは、各色の画素ごとのインクのドロップ数を示すデータである。画像処理部４２は、ＲＩＰ（Raster Image Processor）処理部５１と、色変換部５２と、ハーフトーン処理部５３と、最大ドロップ数設定変更部５４と、ドロップデータ補正部５５とを備える。
【００４７】
ＲＩＰ処理部５１は、印刷ジョブデータをＲＩＰ処理して、ＲＧＢ形式の画像データを生成する。ＲＩＰ処理は、印刷ジョブデータの構文解析を行った後、印刷ジョブデータをラスタライズして画像データを生成する処理である。
【００４８】
色変換部５２は、ＲＩＰ処理部５１で生成されたＲＧＢ形式の画像データを、ＣＭＹＫ形式の画像データに変換する。この色変換は、あらかじめＲＧＢ値とＣＭＹＫ値との対応関係が記録されたテーブルを用いて行うことができる。
【００４９】
ハーフトーン処理部５３は、ＣＭＹＫの各色の画像データをハーフトーン処理して、各色のドロップデータを生成する。ハーフトーン処理としては、誤差拡散処理やディザマスク処理を適用できる。ハーフトーン処理部５３は、用紙種類および印刷解像度に応じた標準最大ドロップ数を最大ドロップ数とするドロップデータを生成する。すなわち、ハーフトーン処理部５３が生成するのは、標準最大ドロップ数を画素ごとのドロップ数の上限とするドロップデータである。
【００５０】
最大ドロップ数設定変更部５４は、印刷速度モードとして第１〜第３高速モードのいずれかが指定された場合に、印刷時の最大ドロップ数として、印刷条件に応じた最大ドロップ数より小さい新たな最大ドロップ数を設定する。具体的には、最大ドロップ数設定変更部５４は、第１〜第３高速モードにおける印刷時の最大ドロップ数として、用紙種類および印刷解像度に応じた標準最大ドロップ数より小さい新たな最大ドロップ数を設定する。第１〜第３高速モードにおける新たな最大ドロップ数は、標準最大ドロップ数からドロップ数削減量テーブル３２における各モードの削減ドロップ数の分だけ削減したドロップ数である。
【００５１】
ドロップデータ補正部５５は、印刷速度モードが第１〜第３高速モードのいずれかである場合において、ドロップデータ補正処理を行う。ドロップデータ補正処理は、ハーフトーン処理部５３で生成された各色のドロップデータを、画素ごとのインクのドロップ数の上限が新たな最大ドロップ数となるよう補正する処理である。
【００５２】
具体的には、ドロップデータ補正部５５は、入力部２７により印刷画質優先モードが入力された場合には、他色のインクに分配可能なブラック色のインクのドロップデータにおける各画素のドロップ数のうち、新たな最大ドロップ数より大きいものを新たな最大ドロップ数に変更する（第１の変更処理）。また、ドロップデータ補正部５５は、新たな最大ドロップ数より大きいドロップ数と新たな最大ドロップ数の差分を、他色のインクのドロップ数が新たな最大ドロップ数を超えない範囲で、分配する（第１の分配処理）。
【００５３】
また、ドロップデータ補正部５５は、入力部２７により印刷画質優先モードが入力されない場合には、他色のインクに分配可能なブラック色のインクのドロップデータにおける各画素のドロップ数のうち、新たな最大ドロップ数より大きいものを新たな最大ドロップ数以下のドロップ数に変更するとともに、新たな最大ドロップ数より大きいドロップ数と、新たな最大ドロップ数以下のドロップ数の差分を、他色のインクのドロップ数が新たな最大ドロップ数を超えない範囲で、分配する。
【００５４】
また、ドロップデータ補正部５５は、ブラック色のインクのドロップデータにおける各画素のドロップ数のうち、２ドロップ以上であって新たな最大ドロップ数以下のものを、少なくとも1ドロップ差し引くとともに、他色のインクのドロップ数が新たな最大ドロップ数を超えない範囲で、上記少なくとも1ドロップ分配する（印刷画質優先モードが入力されない場合の分配処理を第２の分配処理という）。
【００５５】
ここでは、一例として、印刷部３がモノクロ印刷を行う場合について説明する。この際、ドロップデータ補正部５５は、上記第１の分配処理において、ブラック色の最大ドロップ数より大きいドロップ数と、新たな最大ドロップ数の差分を、他色（シアン色、マゼンタ色、イエロー色）のインクのドロップ数に分配する。
【００５６】
また、ドロップデータ補正部５５は、第２の分配処理において、最大ドロップ数より大きいドロップ数と、新たな最大ドロップ数以下のドロップ数の差分を、他色（シアン色、マゼンタ色、イエロー色）のインクのドロップ数に分配する。また、ドロップデータ補正部５５は、第２の分配処理において、ブラック色の新たな最大ドロップ数以下のもの（２ドロップ以上）を、1ドロップ差し引くとともに、他色（シアン色、マゼンタ色、イエロー色）のインクのドロップ数に1ドロップ分配する。
【００５７】
また、ドロップデータ補正部５５は、第１のインクドロップ数分配テーブル（以下、第1テーブル）および第２のインクドロップ数分配テーブル（以下、第２テーブル）を保持する。なお、第１テーブルおよび第２テーブルは記憶部５に記憶されてもよい。第１テーブルおよび第２テーブルの一例をそれぞれ図５（ａ）、（ｂ）に示す。図５においては、もとの最大インクドロップ数は６であり、新たな最大インクドロップ数が３の場合の各テーブルを示している。
【００５８】
第１テーブルにおいては、分配前の最大インクドロップ数６の場合のブラック色の取りうるインクドロップ数（０〜６）に対して、分配後のブラック色、シアン色、マゼンタ色、イエロー色のインクドロップ数を示している。分配前のブラック色の新たな最大ドロップ数３より大きいインクドロップ数４〜６については、分配後のブラック色のインクドロップ数は、新たな最大インクドロップ数３とし、分配前のブラック色のインクドロップ数と、新たな最大インクドロップ数の差分が、分配後のシアン色、マゼンタ色、イエロー色のインクドロップ数に分配される。
【００５９】
分配前のブラック色のインクドロップ数３（新たな最大インクドロップ数）以下については、分配前の新たな最大インクドロップ数以下の画質を担保するように、分配後もそのまま変更しない。この際、シアン色、マゼンタ色、イエロー色のインクドロップ数へのドロップ数の分配は行われない。
【００６０】
第２テーブルにおいては、分配前の最大インクドロップ数６の場合のブラック色の取りうるインクドロップ数（０〜６）に対して、分配後のブラック色、シアン色、マゼンタ色、イエロー色のインクドロップ数を示している。分配前のブラック色のインクドロップ数４〜６については、新たな最大インクドロップ数３以下になるように変更されるが、各色のインクドロップ数がなるべく均等になるように分配される。
【００６１】
また、分配前のブラック色の新たな最大インクドロップ数（３）以下のインクドロップ数３、２についても、分配後の各色のインクドロップ数がなるべく均等になるように分配される。ドロップデータ補正部５５は、第１の分配処理を行う際には、第1テーブルを参照して行い、第２の分配処理を行う際には、第２テーブルを参照して行う。
【００６２】
なお、第１テーブル、第２テーブルは、新たな最大ドロップ数毎に設けられている。本実施形態では、一例として、最大ドロップ数は６であり、新たな最大ドロップ数が３の場合について説明する。
【００６３】
印刷制御部４３は、各色のドロップデータに基づき、各色のインクを吐出するよう印刷部３のインクジェットヘッド２１Ｃ，２１Ｋ，２１Ｍ，２１Ｙを制御する。印刷制御部４３は、標準モードの場合、ハーフトーン処理部５３で生成された各色のドロップデータに基づき、インクジェットヘッド２１Ｃ，２１Ｋ，２１Ｍ，２１Ｙを制御する。第１〜第３高速モードのいずれかの場合、印刷制御部４３は、ドロップデータ補正部５５による補正後の各色のドロップデータに基づき、インクジェットヘッド２１Ｃ，２１Ｋ，２１Ｍ，２１Ｙを制御する。
【００６４】
表示制御部４４は、操作パネル部４の表示部２６の表示制御を行う。
【００６５】
次に、インクジェット印刷装置１の動作について説明する。
【００６６】
図６は、インクジェット印刷装置１の動作を説明するためのフローチャートである。図６のフローチャートの処理は、インクジェット印刷装置１にＰＤＬ形式の印刷ジョブデータが入力されることにより開始となる。
【００６７】
図６のステップＳ１において、画像処理部４２のＲＩＰ処理部５１は、印刷ジョブデータをＲＩＰ処理して、ＲＧＢ形式の画像データを生成する。ここで、ＲＩＰ処理部５１は、ＲＩＰ処理により、印刷ジョブデータから、印刷に使用する用紙種類および印刷解像度を示す情報を取得する。そして、ＲＩＰ処理部５１は、印刷解像度の画像データを生成する。
【００６８】
次いで、ステップＳ２において、色変換部５２は、ＲＩＰ処理部５１で生成されたＲＧＢ形式の画像データを、ＣＭＹＫ形式の画像データに変換する。
【００６９】
次いで、ステップＳ３において、ハーフトーン処理部５３は、ＣＭＹＫの各色の画像データをハーフトーン処理して、各色のドロップデータを生成する。具体的には、ハーフトーン処理部５３は、ＲＩＰ処理部５１から印刷に使用する用紙種類および印刷解像度を示す情報を取得し、用紙種類および印刷解像度に応じた標準最大ドロップ数を最大ドロップ数テーブル３１から取得する。そして、ハーフトーン処理部５３は、ＣＭＹＫの各色の画像データに対して、用紙種類および印刷解像度に応じた標準最大ドロップ数を最大ドロップ数とするハーフトーン処理を行い、各色のドロップデータを生成する。
【００７０】
次いで、ステップＳ４において、最大ドロップ数設定変更部５４は、指定された印刷速度モードが標準モードであるか否かを判断する。ここで、印刷速度モードは、事前に指定されている。印刷速度モードの指定は、例えば、ユーザが操作パネル部４の表示部２６に表示された印刷速度設定画面（図示せず）を見ながら入力部２７に対して入力操作することにより行われる。
【００７１】
指定された印刷速度モードが標準モードであると最大ドロップ数設定変更部５４が判断した場合（ステップＳ４：ＹＥＳ）、ステップＳ５において、制御部６は、標準モードでの印刷を行う。
【００７２】
具体的には、最大ドロップ数設定変更部５４は、ＲＩＰ処理部５１から印刷に使用する用紙種類および印刷解像度を示す情報を取得し、用紙種類および印刷解像度に応じた標準最大ドロップ数を最大ドロップ数テーブル３１から取得する。最大ドロップ数設定変更部５４は、印刷時の最大ドロップ数を標準最大ドロップ数から変更せず、用紙種類および印刷解像度に応じた標準最大ドロップ数を、今回の印刷における最大ドロップ数として搬送制御部４１および印刷制御部４３に通知する。ハーフトーン処理部５３は、生成した各色のドロップデータを印刷制御部４３へ送る。
【００７３】
搬送制御部４１は、用紙Ｐの搬送速度が、今回の印刷における最大ドロップ数である、用紙種類および印刷解像度に応じた標準最大ドロップ数に対応する搬送速度となるよう搬送部２を駆動させる。
【００７４】
搬送部２には、標準最大ドロップ数に対応する用紙Ｐの搬送速度に応じた印刷速度を実現するための時間間隔で、図示しない給紙部から用紙Ｐが順次給紙される。搬送部２に給紙された用紙Ｐは、搬送部２の搬送ベルト１１により搬送される。
【００７５】
印刷制御部４３は、ハーフトーン処理部５３で生成された各色のドロップデータに基づきインクジェットヘッド２１Ｃ，２１Ｋ，２１Ｍ，２１Ｙを制御して、搬送部２により搬送される用紙Ｐにインクを吐出させる。これにより、用紙Ｐに画像が印刷される。ここで、印刷制御部４３は、画像の各ラインへの吐出動作を、今回の印刷における最大ドロップ数に対応する用紙Ｐの搬送速度に応じたタイミングで行うようインクジェットヘッド２１Ｃ，２１Ｋ，２１Ｍ，２１Ｙを制御する。
【００７６】
印刷枚数分の印刷が終了すると、搬送制御部４１により搬送部２が停止され、一連の動作が終了となる。
【００７７】
ステップＳ４において、指定された印刷速度モードが第１〜第３高速モードのいずれかであると判断した場合（ステップＳ４：ＮＯ）、ステップＳ６において、最大ドロップ数設定変更部５４は、新たな最大ドロップ数を設定する。
【００７８】
具体的には、最大ドロップ数設定変更部５４は、ＲＩＰ処理部５１から印刷に使用する用紙種類および印刷解像度を示す情報を取得し、用紙種類および印刷解像度に応じた標準最大ドロップ数を最大ドロップ数テーブル３１から取得する。次いで、最大ドロップ数設定変更部５４は、第１〜第３高速モードのうちの指定されたモードに対応する削減ドロップ数を、ドロップ数削減量テーブル３２から選択して取得する。そして、最大ドロップ数設定変更部５４は、用紙種類および印刷解像度に応じた標準最大ドロップ数から、指定されたモードに対応する削減ドロップ数を差し引いたドロップ数を、新たな最大ドロップ数とする。ここでは一例として、図８、図９の処理においては、標準最大ドロップ数が６であり、新たな最大ドロップ数が３の場合を例にして説明する。
【００７９】
次いで、ステップＳ７において、ドロップデータ補正部５５は、ドロップデータ補正処理を行う。ドロップデータ補正処理の内容は後述する。
【００８０】
次いで、ステップＳ８において、制御部６は、高速モード（第１〜第３高速モード）のうちの指定されたモードでの印刷を行う。
【００８１】
具体的には、最大ドロップ数設定変更部５４は、新たな最大ドロップ数を、今回の印刷における最大ドロップ数として搬送制御部４１および印刷制御部４３に通知する。また、印刷制御部４３は、ドロップデータ補正部５５による補正後の各色のドロップデータを受け取る。ここで、ドロップデータ補正部５５による補正後の各色のドロップデータは、ステップＳ６で設定された新たな最大ドロップ数を、画素ごとのインクのドロップ数の上限とするデータになっている。
【００８２】
搬送制御部４１は、用紙Ｐの搬送速度が、新たな最大ドロップ数に応じた搬送速度となるよう搬送部２を駆動させる。
【００８３】
搬送部２には、新たな最大ドロップ数に対応する用紙Ｐの搬送速度に応じた印刷速度を実現するための時間間隔で、図示しない給紙部から用紙Ｐが順次給紙される。搬送部２に給紙された用紙Ｐは、搬送部２の搬送ベルト１１により搬送される。
【００８４】
印刷制御部４３は、ドロップデータ補正部５５による補正後の各色のドロップデータに基づきインクジェットヘッド２１Ｃ，２１Ｋ，２１Ｍ，２１Ｙを制御して、搬送部２により搬送される用紙Ｐにインクを吐出させる。これにより、用紙Ｐに画像が印刷される。ここで、印刷制御部４３は、画像の各ラインへの吐出動作を、今回の印刷における最大ドロップ数に対応する用紙Ｐの搬送速度に応じたタイミングで行うようインクジェットヘッド２１Ｃ，２１Ｋ，２１Ｍ，２１Ｙを制御する。
【００８５】
印刷枚数分の印刷が終了すると、搬送制御部４１により搬送部２が停止され、一連の動作が終了となる。
【００８６】
次に、インクジェット印刷装置1が行う印刷画質優先モードの設定処理について図７のフローチャートを参照して説明する。
【００８７】
ステップＳ１１において、ドロップデータ補正部５５は、入力部２７により、モードを指定する情報（印刷画質優先モードまたは印刷画質非優先モードを指定する情報）が入力されたか否かを判断する。
【００８８】
モードを指定する情報が入力されたと判断した場合、ドロップデータ補正部５５は、ステップＳ１２において、入力された情報に基づいて、印刷画質優先モードまたは印刷画質非優先モードを設定する。
【００８９】
ステップＳ１３において、ドロップデータ補正部５５は、入力部２７により、モードを解除する情報が入力された否かを判断する。モードを解除する情報が入力されないと判断した場合、ステップS１３を繰りかえす。モードを解除する情報が入力されたと判断した場合、ドロップデータ補正部５５は、ステップＳ１４において、設定されている印刷画質優先モードまたは印刷画質非優先モードを解除し、ステップＳ１１へ進む。
【００９０】
次に、上述した図６のステップＳ７で行われるドロップデータ補正処理について、図８のフローチャートを参照して説明する。図８の処理は、印刷ジョブデータが規定する印刷枚数の各印刷枚（ページ）ごとに行われる。
【００９１】
図８のステップＳ２１において、ドロップデータ補正部５５は、ドロップデータにおけるライン番号を示す変数ｌに「１」を設定する。
【００９２】
次いで、ステップＳ２２において、ドロップデータ補正部５５は、ライン上における画素番号を示す変数ｍに「１」を設定する。
【００９３】
次いで、ステップＳ２３において、ドロップデータ補正部５５は、印刷画質優先モードが設定されているか否かを判断する。印刷画質優先モードが設定されている場合には、ステップＳ２４において、ドロップデータ補正部５５は、第１テーブルを参照して、ブラック色の新たな最大ドロップ数より大きいドロップ数を、新たな最大ドロップ数３にするとともに、ブラック色の分配前のドロップ数と、新たな最大ドロップ数の差分をシアン色、マゼンタ色、イエロー色のドロップ数に分配する。
【００９４】
印刷画質非優先モードが設定されている場合には、ステップＳ２５において、ドロップデータ補正部５５は、第２テーブルを参照して、ブラック色の新たな最大ドロップ数より大きいドロップ数を、新たな最大ドロップ数３以下にするとともに、ブラック色の分配前のドロップ数と、新たな最大ドロップ数以下の差分をシアン色、マゼンタ色、イエロー色のドロップ数に分配する。
【００９５】
また、ドロップデータ補正部５５は、第２テーブルを参照して、ブラック色の新たな最大ドロップ数以下のドロップ数（２ドロップ以上）を、1差し引くとともに、差し引いたドロップ数１をシアン色、マゼンタ色、イエロー色のドロップ数に分配する。
【００９６】
ステップＳ２４、Ｓ２５の後、ドロップデータ補正部５５は、ステップＳ２７へ進む。ステップＳ２７では、ドロップデータ補正部５５は、変数ｍが１ラインにおける最終画素であることを示すＭであるか否かを判断する。
【００９７】
ｍ＝Ｍではないと判断した場合（ステップＳ２７：ＮＯ）、ステップＳ３０において、ドロップデータ補正部５５は、変数ｍに「１」を加算する。この後、ドロップデータ補正部５５は、ステップＳ２３へ戻る。
【００９８】
ｍ＝Ｍであると判断した場合（ステップＳ２７：ＹＥＳ）、ステップＳ２８において、ドロップデータ補正部５５は、変数ｌが最終ラインであることを示すＬであるか否かを判断する。
【００９９】
ｌ＝Ｌではないと判断した場合（ステップＳ２８：ＮＯ）、ステップＳ３１において、ドロップデータ補正部５５は、変数ｌに「１」を加算する。この後、ドロップデータ補正部５５は、ステップＳ２２へ戻る。
【０１００】
ｌ＝Ｌであると判断した場合（ステップＳ２８：ＹＥＳ）、ドロップデータ補正部５５は、ドロップデータ補正処理を終了する。
【０１０１】
（実施形態２）
上述した実施形態では、オブジェクト内の場所（オブジェクトを構成する画素の位置）に関わらず、ブラック色のインクのドロップ数を、シアン色、マゼンタ色、イエロー色のインクのドロップ数に置き換えるようにしていたが、オブジェクトのエッジ部においては、吐出位置がずれたりすると、ブラック色に、シアン色等が滲んで見えることになる。
【０１０２】
このため、本実施形態では、オブジェクトのエッジ部と非エッジ部で、ブラック色のドロップ数のシアン色、マゼンタ色、イエロー色のドロップ数への置き換え処理を変えるようにしている。
【０１０３】
本実施形態で、実施形態１と同一構成・同一処理については同一符号を付してその説明を省略する。
【０１０４】
図９は、インクジェット印刷装置１の動作を説明するためのフローチャートである。ステップＳ３１で、ドロップデータ補正部５５は、印刷ジョブデータの画像データ中、オブジェクト（例えば、写真、文字、イラストなど）を特定し、オブジェクトのエッジ部と非エッジ部に対応する画素を特定する。このオブジェクトの特定は、ドロップ数が存在する連続する画素の領域に対して、諧調性に基づいて（全て同一ドロップ数か、各種のドロップ数かなど）、特定される。
【０１０５】
続いて、図８に示したステップＳ２１，２２の処理が行われ、ステップＳ３２で、ドロップデータ補正部５５は、注目画素がエッジ部の画素であるか否かを判断する。注目画素がエッジ部の画素であると判断した場合（ステップＳ３２：ＹＥＳ）、ドロップデータ補正部５５は、ステップＳ３３へ進む。
【０１０６】
注目画素がエッジ部の画素でないと判断した場合（ステップＳ３２：ＮＯ）、ドロップデータ補正部５５は、ステップＳ２３以降へ進む。ステップＳ３３で、ドロップデータ補正部５５は、注目画素のブラック色のドロップ数が、新たな最大ドロップ数より大きいか否かを判断する。新たな最大ドロップ数より大きいと判断した場合（ステップＳ３３：ＹＥＳ）、ステップＳ３４でドロップ数を新たな最大ドロップ数に変更して、ステップＳ２７へ進む。
【０１０７】
新たな最大ドロップ数以下と判断した場合（ステップＳ３３：ＹＥＳ）、ドロップデータ補正部５５は、ステップＳ２７へ進む。
【０１０８】
領域の狭いエッジ部においては、画質において、ブラック色のドロップ数を下げることによる画質への影響は小さいが、各色のインクの位置ずれによる上記影響が大きい。このため、ドロップデータ補正部５５は、新たな最大ドロップ数より大きいドロップ数を、新たな最大ドロップ数に変更するとともに他色のインクのドロップ数に分配しないようにしている。
【０１０９】
（実施形態３）
本実施形態では、ブラック色のドロップ数をシアン色、マゼンタ色、イエロー色のドロップ数に分配するのではなく、シアン色のドロップ数のみに分配する。本実施形態で、実施形態１と同一構成・同一処理については同一符号を付してその説明を省略する。
【０１１０】
本実施形態では、第1テーブルおよび第２テーブルにおいて、分配後のマゼンタ色、イエロー色のドロップ数が全て０の場合のテーブルが用いられる。そして、図８に示すフローチャー図において、他の色が、シアン色のみである場合になる。
【０１１１】
（変形例）
（１）ステップＳ１１にて、印刷画質非優先モードが入力されるようにしたが、これに限定されず、何も入力しないで、一定時間経過した場合に、印刷画質非優先モードが設定されるようにしてもよい。また、ステップＳ１１にて、印刷画質非優先モードの代わりに、インク等量消費優先モードが入力されるようにしてもよい。
【０１１２】
（２）上述の実施形態では、ブラック色のインクのドロップ数をシアン色、マゼンタ色、イエロー色のドロップ数に分配する場合について説明したが。これに限定されず、レッド色のインクのドロップ数を、マゼンタ色、イエロー色のインクのドロップ数に分配する場合や、グリーン色のインクのドロップ数を、シアン色、イエロー色のインクのドロップ数に分配する場合や、ブルー色のインクのドロップ数を、マゼンタ色、シアン色のインクのドロップ数に分配する場合にも同様に適用が可能である。
【０１１３】
（３）上述の実施形態２では、図９のフローチャートのステップＳ３１において、エッジ部の特定処理を行っていたが、これに限定されない。例えば、図９において、ステップＳ３１を行わず、ステップＳ２２とステップＳ３２の間において、ドロップデータ補正部５５は、公知のエッジ検出フィルタを用いて、画素毎（ｌ、ｍ）にエッジ部か否かの特定を行うようにしてもよい。
【０１１４】
（４）上述の実施形態２では、ブラック色のドロップ数をシアン色、マゼンタ色、イエロー色のドロップ数に分配する場合について説明したが、これに限定されず、ブラック色のドロップ数をシアン色のドロップ数に分配する場合にも同様に適用が可能である。また、上述の実施形態２は、上記（２）の場合にも適用が可能である。
【０１１５】
（５）また、インクジェット印刷装置１において、モノクロ印刷が設定されている場合は、自動的に第１〜第３高速モードのいずれかを選択するようにしてもよい。
【０１１６】
（６）また、上述した実施形態では、標準最大ドロップ数を決定する印刷条件の要素は用紙種類および印刷解像度であるものとしたが、標準最大ドロップ数を決定する印刷条件の要素はこの組み合わせに限らない。例えば、標準最大ドロップ数を決定する印刷条件の要素から印刷解像度が省略されていてもよい。
【０１１７】
本発明は上記実施形態そのままに限定されるものではなく、実施段階ではその要旨を逸脱しない範囲で構成要素を変形して具体化できる。また、上記実施形態に開示されている複数の構成要素の適宜な組み合せにより、種々の発明を形成できる。例えば、実施形態に示される全構成要素から幾つかの構成要素を削除してもよい。
【符号の説明】
【０１１８】
１  インクジェット印刷装置
２  搬送部
３  印刷部
４  操作パネル部
５  記憶部
６  制御部
２１，２１Ｃ，２１Ｋ，２１Ｍ，２１Ｙ  インクジェットヘッド
３１  最大ドロップ数テーブル
３２  ドロップ数削減量テーブル
４１  搬送制御部
４２  画像処理部
４３  印刷制御部
５１  ＲＩＰ処理部
５２  色変換部
５３  ハーフトーン処理部
５４  最大ドロップ数設定変更部
５５  ドロップデータ補正部
【図１】
2018158559.tif 000003
【図２】
2018158559.tif 000004
【図３】
2018158559.tif 000005
【図４】
2018158559.tif 000006
【図５】
2018158559.tif 000007
【図６】
2018158559.tif 000008
【図７】
2018158559.tif 000009
【図８】
2018158559.tif 000010
【図９】
2018158559.tif 000011